(57)【特許請求の範囲】
【請求項１】
複数のロッカー・ボックスと各ロッカー・ボックスの解錠施錠などを制御する制御部を備えた荷物等自動管理ロッカー装置装置において、
台輪部とその上に載せ取り付ける本体部とが別個の部品であり、
台輪部の正面には、１個または２個以上の非常解錠キー差込口を有するシリンダー錠が設けられ、シリンダー錠の後方から垂直上方へ伸び、台輪部高さとほぼ等しい長さの第１ロッドを上下可動とし、第１ロッドの上端に第１フラットベースを取り付け、
本体部には複数のロッカー・ボックスが上下に並び、各ロッカー・ボックス内の電気錠は鉛直線上に並んでおり、当該電気錠の近くに第２ロッドを垂直に配置し、垂直上下に可動とし、第２ロッドの下端に第２フラットベースを取り付け、第２ロッドには電気錠解錠機構を各電気錠の近傍に取り付け、
台輪部のシリンダー錠を手動で回転することにより、第１ロッドを上下動させ、第１フラットベースと第２フラットベースは接するように保たれ、第２ロッドを連動させ、第２ロッドの近くに取り付けた電気錠解錠機構が作動して、電気錠を強制的に解錠することを特徴とする荷物等自動管理ロッカー装置。
【請求項２】
第１フラットベースが上に凸の曲面であることを特徴とする請求項１に記載の荷物等自動管理ロッカー装置。
【請求項３】
第２フラットベースが下に凸の曲面であることを特徴とする請求項１に記載の荷物等自動管理ロッカー装置。
【発明の詳細な説明】
【０００１】
【発明が属する技術分野】
本発明は、荷物等自動管理ロッカー装置に関する。荷物等自動管理ロッカー装置装置とは、例えば、特開昭６３−２８２５９２号公報に開示され、図５に示すように、マンション、アパート、公団住宅、社宅、寮等、主に集合住宅などのエントランス・ホール、屋外などに設置されるロッカーで装置あって、荷物の受け渡し・保管用の複数のロッカー・ボックス３０２、３０３、３０４、３０５、３０６と各ロッカー・ボックスの電気錠の開閉などを制御する制御部１１とを備え、集合住宅の居住人が不在の時でも、宅配荷物などのお届け、予約お届け・保管、受け取り、予約出荷、保管、引取りが無人でもって行えるロッカー装置である。通常、この荷物等自動管理ロッカー装置では、ロッカー・ボックスの寸法は不図示のＦサイズ、Ｌサイズ、Ｍサイズ、Ｓサイズ、ＳＳサイズがあり、利用者（居住人及び宅配業者）がお届け荷物の大きさに応じて収納するロッカー・ボックスのサイズを選択すると、その選択されたサイズのロッカー・ボックスの中から荷物の保管されていないもの１つを制御部がプログラムによって選び出し、電気錠を解錠して扉を開け、利用者にそのロッカー・ボックスの位置を知らせ、その中にお届け荷物あるいは出荷荷物を入れ扉を閉めるように指示するものである。各ロッカー・ボックスには、それぞれのボックスを特定するためロッカー番号が付されている。
【０００２】
また、この荷物等自動管理ロッカー装置は、複数のユニット３１０、３１１、３１２、３１３、３１４を横並べたものが一般的であるが、一部のユニットを離して配置し電線、ワイヤー、ケーブル、光ファイバーのハーネス、コネクター等で制御部１１とロッカー・ボックスとを接続してもよい。
【０００３】
【従来の技術及び発明が解決しようとする課題】
従来の荷物等自動管理ロッカー装置のユニットは、図５に示すように、筐体部と台輪部３２０、３２１、３２２、３２３、３２４が一体となっている。そのため、工場出荷時の積み込みや現地での荷卸などは、重量があり、非常に大変な作業である。
【０００４】
また、シリンダー錠の先端部に長い手動解錠ロッドが直接結合されているため、利用時にかなりの荷重がかかる。ロッカーの現場搬入のための輸送時に、シリンダー錠が破損するおそれがある。
【０００５】
さらに、壁内に荷物等自動管理ロッカー装置をビルトイン設置する場合には、ユニットの台輪部が水平でなくなりやすい。台輪部が水平に設置されないと、手動解錠ロッドも垂直でなくなる。その結果、シリンダー錠へ差し込んだキーの回転がきつくなる。また、電気錠の解錠が円滑でなくなる。
【０００６】
そこで、本発明の目的は、確実・円滑に電気錠が作動し、なめらかに操作でき、かつ、比較的安価な荷物等自動管理ロッカー装置の手動解錠機構を提供することである。
【０００７】
【課題を解決するための手段】
上記目的は、請求項１に記載の本発明に係る複数のロッカー・ボックスと各ロッカー・ボックスの解錠施錠などを制御する制御部を備えた荷物等自動管理ロッカー装置装置において、台輪部とその上に載せ取り付ける本体部とが別個の部品であり、台輪部の正面には、１個または２個以上の非常解錠キー差込口を有するシリンダー錠が設けられ、シリンダー錠の後方から垂直上方へ伸び、台輪部高さとほぼ等しい長さの第１ロッドを上下可動とし、第１ロッドの上端に第１フラットベースを取り付け、本体部には複数のロッカー・ボックスが上下に並び、各ロッカー・ボックス内の電気錠は鉛直線上に並んでおり、当該電気錠の近くに第２ロッドを垂直に配置し、垂直上下に可動とし、第２ロッドの下端に第２フラットベースを取り付け、第２ロッドには電気錠解錠機構を各電気錠の近傍に取り付け、台輪部のシリンダー錠を手動で回転することにより、第１ロッドを上下動させ、第１フラットベースと第２フラットベースは接するように保たれ、第２ロッドを連動させ、第２ロッドの近くに取り付けた電気錠解錠機構が作動して、電気錠を強制的に解錠することを特徴とする荷物等自動管理ロッカー装置によって解決される。
【０００８】
【発明の実施の態様】
以下、本発明の荷物等自動管理ロッカー装置の実施形態について、添付図面を参照して、詳細に説明する。
【０００９】
図１は本発明の実施形態の手動解錠機構の斜視図である。
【００１０】
台輪部１０は、高さの低い直方体の下面と上面周辺部と側面とからなる形状であり、前面１０１、不図示の左側面、右側面及び背面と上面周辺部１０２と下面１０３からなる。台輪部１０は、普通鋼、ステンレス鋼あるいは強化プラスティクス製であり、必要により、防食や美観のため塗装されている。台輪は、集合住宅内の床上あるいは屋外の地面上に直接あるいはシートや板を介して設置される。台輪部１０の前面１０１には１個または２個以上の非常解錠キー差込口を有するシリンダー錠２３が設けられ、シリンダー錠２３は前面１０１に垂直に水平方向へ伸びている。シリンダー錠２３は文字どおり円柱状であり、キーを差し込み回転すると、中心軸２３５のまわりに左右に回転する。シリンダー錠２３の後端（非常解錠キー差込口と反対の端）には、大側面２４１、小側面２４２、中央面２４３からなるコ字形部品２４の大側面２４１が取り付けられている。そして小側面２４２は垂直に外側へ突出するピン２５が取り付けられている。台輪部１０の下面１０３には、第１ロッド２１の下端２１１を案内するガイド２６が設けてある。ガイド２６の開口２６１に第１ロッド２１の下端２１１に挿入され、第１ロッド２１は垂直上下方向へ移動可能であるが左右前後方向へは移動できない。第１ロッド２１の下端２１１近くには、係合片１８が取り付けられており、係合片１８には係合孔１８１が設けられており、シリンダー錠２３のピン２５が係合片１８の係合孔１８１に挿入され係合された状態が保たれる。ピン２５の位置はシリンダー錠２３の中心軸２３５から外れているので、シリンダー錠２３を回転させると、ピン２５の軌跡は円を描き、係合片１８を上下に動かし、第１ロッド２１を垂直方向へ上下させることができる。第１ロッド２１の上端２１２にはフラットベース２１３が取り付けられ、ほぼ水平に保たれている。
【００１１】
台輪部１０の上には本体４０が載せられ取り付けられている。本体部４０にはボックス部が上下方向に並んで一列となっており、各ボックス部には１個ずつ電気錠２が取り付けられており、本体部４０について見ると、複数の電気錠２が間隔をおいて垂直方向一直線上に並んでいる。本体部４０の内部には各ボックス部の下面を貫いて第２ロッド２０が垂直に配置されている。第２ロッド２０は本体部４０に取り付けられた複数のロッドガイド２２によって案内されている。すなわち、第２ロッド２０はロッドガイド２２の開口２２１に挿入され案内されている。
【００１２】
第２ロッド２０の下端２０１にはフラットベース２０２が取り付けられている。また、第２ロッド２０の途中には操作金具１３が取り付けられており、操作金具１３の当接部１３１は電気錠２のラッチ解錠ピン６０１に直下に通常配置している。そして、操作金具１３を下方へ付勢する付勢装置５が操作金具１３に嵌合されている。
【００１３】
付勢装置５は、長板状のレバー１６を支点１６１で接合ビス２８により軸支し、レバー１６の一端を操作金具１３に接合し、他端近くを板バネ１５とバネ受け１７によって上方へ付勢している。板バネ１５は固定ビス２７によって、レバー１６の他端近くに固定されている。
【００１４】
電気錠２はラッチ６の刃６０２がロッカー・ボックスの扉３０に取り付けられたアームバー３の係合孔３０１に挿入され、係合し、通常は施錠状態となっている。ラッチ６は軸６０３の回りに回転自在であるが、ラッチ６の他端６０４はコイルバネ９によって下方へ付勢されているため、ラッチ６の刃６０２は上方へ付勢され、アームバー３の係合孔３０１からラッチ６の刃６０２が抜けるように作用している。しかしながら、通常は、ラッチ６の他端に取り付けられているラッチ解錠ピン６０１の下端に操作金具１３の当接部１３１が当接しているため、ラッチ解錠ピン６０１は下方へ移動できず、電気錠２は解錠されない。
【００１５】
ところが、電気錠２のソレノイド４２に電気信号が加わると、ソレノイド４２が動作してラッチ６を図３において反時計まわりに回転させ、刃６０２がアームバー３の係合孔３０１から外れる。
【００１６】
また、管理者がキー１０４をシリンダー錠の非常解錠キー差込口に挿入し回転すると、第１ロッド２１が垂直上方へ移動し、伴って、第２ロッド２０も垂直上方へ移動する。そのため、操作金具１３が上方へ移動し、ラッチ解錠ピン６０１も上方へ移動し、電気錠が解錠される。同様に第２ロッドに取り付けた他の操作金具が上方へ移動し、その操作金具の直上の電気錠も解錠される。このようにして、縦一列の電気錠を同時に解錠することができる。
【００１７】
台輪部１０の上に、２以上の本体部４０を横に並べてもよい。各本体部４０の内部に垂直に配置し、上下可動の第２ロッドの下端に取り付けられたフラットベースは、それぞれ、台輪部の内部に垂直に配置し、シリンダー錠の回転によって上下可動の第１ロッドの上端に取り付けられたフラットベースと密接している。そのため、各シリンダー錠を回転させることによって、上方に一直線上に並ぶ複数のロッカー・ボックスの電気錠を手動解錠することができる。
【００１８】
なお、フラットベースは外方へ向けて凸の曲面状であってもよい。台輪部上に本体部を載せ取り付ける際に多少傾いても、フラットベース間が密接し、円滑に手動解錠することができる。
【００１９】
【発明の効果】
本発明の荷物等自動管理ロッカー装置によれば、台輪部と本体部とが個別の部品であるので、湿気の多い場所に設置し、台輪部が腐食や変色し劣化した時には、台輪部のみを新品に交換すれば良く、本体部は従前のものを引き続き使用でき、交換部品の費用を大幅に低減できる。また、現場での設置や微調整が容易である。
【００２０】
本発明の荷物等自動管理ロッカー装置によれば、台輪部の内部に題１ロッドを垂直に配置し、シリンダー錠の回転により第１ロッドを上下動かし、第１ロッドの上端に円板状の第１のフラットベースを取り付け、本体部の内部に第２ロッドを垂直に配置し、上下可動とし、第２ロッドの下端に円板状の第２のフラットベースを取り付け、台輪部の上に本体部を載せ取り付けると、第１のフラットベースと第２のフラットベースが密接するので、本体部が台輪部に対し多少傾いても第１のフラットベースと第２のフラットベースの接触状態が変化するだけで、第１ロッドの上下動に対応して第２ロッドも円滑に上下動することができ、上下一列に並んだロッカー・ボックスの電気錠を同時に円滑に手動解錠することができる。
【図面の簡単な説明】
【図１】本発明の実施形態の手動解錠機構の斜視図である。
【図２】図１における矢印Ａの方向に見た本発明の実施形態の手動解錠機構の部分図である。
【図３】本発明の実施形態の手動解錠機構の側面断面図である。
【図４】本発明の実施形態の手動解錠機構の平面断面図である。
【図５】従来の荷物等自動管理ロッカー装置のユニットの正面図である。
【符号の説明】
１０  台輪部
１０１  前面
１０２  上面周辺部
１０３  下面
１０４  キー
１１  制御部
１３  操作金具
１３１  当接部
１５  板バネ
１６  レバー
１６１  支点
１７  バネ受け
１８  係合片
１８１  係合孔
２  電気錠
２０  第２ロッド
２０１  下端
２０２  フラットベース
２１  第１ロッド
２１１  下端
２１２  上端
２１３  フラットベース
２２  ロッドガイド
２２１  開口
２３  シリンダー錠
２３５  中心軸
２４  コ字形部品
２４１  大側面
２４２  小側面
２４３  中央面
２５  ピン
２６  ガイド
２６１  開口
２７  固定ビス
２８  接合ビス
３  アームバー
３０  扉
３０１  係合孔
３０２  ロッカー・ボックス
３０３  ロッカー・ボックス
３０４  ロッカー・ボックス
３０５  ロッカー・ボックス
３０６  ロッカー・ボックス
３１０  ユニット
３１１  ユニット
３１２  ユニット
３１３  ユニット
３１４  ユニット
３２０  台輪部
３２１  台輪部
３２２  台輪部
３２３  台輪部
３２４  台輪部
４０  本体部
４２  ソレノイド
５  付勢装置
６  ラッチ
６０１  ラッチ解錠ピン
６０２  刃
６０３  軸
６０４  他端
９  コイルバネ
【図１】
0004448580.tif 000002
【図２】
0004448580.tif 000003
【図３】
0004448580.tif 000004
【図４】
0004448580.tif 000005
【図５】
0004448580.tif 000006